(57)【要約】      （修正有）【課題】調節可能シャッター式３Ｄ眼鏡の３Ｄ及び２Ｄ互換性を有する受信装置を提供する。【解決手段】調節可能シャッター式３Ｄ眼鏡の３Ｄ及び２Ｄ互換性を有する受信装置は、信号受信モジュール、信号処理モジュール、受信モード調整モジュール、左シャッター制御モジュール、右シャッター制御モジュール、左シャッター、右シャッター及び受信モード状態表示器を含む。さらに、信号処理モジュールの入力端がそれぞれ信号受信モジュール及び受信モード調整モジュールに接続し、信号処理モジュールの出力端がそれぞれ左シャッター制御モジュール及び右シャッター制御モジュールの入力端に接続し、左、右シャッター制御モジュールの出力端がそれぞれ左、右シャッターに接続し、信号処理モジュールが更に受信モード状態表示器に接続する。よって、外部表示装置の制御を変更する必要がなく、ただ受信装置の変更により３Ｄ及び２Ｄコンテンツの互換受信を達成できる。【選択図】図３
0003179528.tif 000002
【実用新案登録請求の範囲】
【請求項１】
3D眼鏡フレーム上に設けられ、信号受信モジュール、信号処理モジュール、受信モード調整モジュール、左シャッター制御モジュール、右シャッター制御モジュール、左シャッター、右シャッター及び受信モード状態表示器を含み、前記信号処理モジュールの入力端は、それぞれ前記信号受信モジュール及び前記受信モード調整モジュールに接続し、前記信号処理モジュールの出力端は、それぞれ前記左シャッター制御モジュール及び前記右シャッター制御モジュールの入力端に接続し、前記左シャッター制御モジュールの出力端が前記左シャッターに接続し、前記右シャッター制御モジュール出力端が前記右シャッターに接続し、前記信号処理モジュールの出力端が更に、前記受信モード状態表示器と接続することを特徴とする調節可能シャッター式3D眼鏡の3D及び2D互換性を有する受信装置。
【請求項２】
前記受信モード調整モジュールが、機械式ボタンの機械受信モード調整モジュール又は電子センサ方式の電子受信モード調整モジュールであることを特徴とする請求項１に記載の調節可能シャッター式3D眼鏡の3D及び2D互換性を有する受信装置。
【請求項３】
前記受信モード状態表示器が、LEDインジケータ、又はLEDドットマトリクス又はLCD表示スクリーンであることを特徴とする請求項１に記載の調節可能シャッター式3D眼鏡の3D及び2D互換性を有する受信装置。
【考案の詳細な説明】
【技術分野】
【０００１】
本考案は、3D表示技術分野に属し、特に、調節可能シャッター式3D眼鏡の3D及び2Dの互換性を有する受信装置に関する。
【背景技術】
【０００２】
現在、3D表示技術は、眼鏡式と裸眼式の大きく２類に分けることができる。現在の民間市場について、技術的制限及びコスト面の考慮により、眼鏡式が比較的普及し、裸眼式は、稀である。眼鏡式3D表示技術は、主に３種の類型：色差式、偏光式、アクティブシャッター式、即ち、通常呼ばれている色分割法、光分割法及び時間分割法を含み、そのうち、偏光式及びアクティブシャッター式は、表示効果が良好であることによって表示装置メーカーにより広く採用されている。
【０００３】
家庭に普及した3D表示技術において、アクティブシャッター式の表示原理は、外部の表示装置が先ず左眼で見た画面を表示し、この時、3D眼鏡は、同時に左シャッターを開き、右シャッターを閉じ、観衆の右眼を遮り、続いて、外部表示装置が右眼で見た画面にスイッチし、この時、3D眼鏡が右シャッターを開き、左シャッターを閉じ、左眼を遮る。このように、絶えず反復し、そのうち、観衆の左眼が画面を見る時間がＴ左周期、即ち、3D眼鏡上の左シャッターの1回の開放時間であり、右眼が画面を見る時間がＴ右周期、即ち、3D眼鏡上の右シャッターの1回の開放時間である。同時にＴ左周期及びＴ右周期の交替過程は、非常に迅速であり、毎秒120回以上に達することができるので、人の眼にとって、この左右変換の過程を感じることはできない。ただ受け取った画面が正確であれば、3Dイメージを見ることができる。Ｔ左周期及びＴ右周期の交替は、外部表示装置から3D眼鏡に無線同期制御信号を発送して実現され、更に、3D眼鏡及び外部表示装置の同期が実現される。図１に示すのは、外部表示装置が対応して発送する無線同期制御信号の波形簡易図及びＴ左周期及びＴ右周期の交替の対応である。
【０００４】
従って、使用者が3Dモード表示スクリーンを選択すると、3Dの画面が送り出され、この時、使用者は、専門の3D眼鏡をかけることで3Dのコンテンツを観賞することができるが、3Dモードにおいて使用者が裸眼で表示スクリーンを見る場合、表示スクリーンが送り出す画面が左右の眼に対して差異を有し、このように、使用者は、漠然としたゴースト画面のみしかみることができず、一部の使用者が3D眼鏡をかけ、3D表示モードで観覧する時、その他の使用者は、直接裸眼で明晰なスクリーンコンテンツを見ることができず、眼鏡を使用し2Dのコンテンツを見ることもできない。また、現在3D表示技術の制限により、長時間3Dコンテンツを観覧すると使用者が不快感を有し易く、使用者がこの時3D表示モードを退出し、2D表示モードを選択する場合、同時に3D表示モードを観覧するその他の観衆に必然的に影響を及ぼす。総じて、現在の3D表示及び受信装置は、3D及び2Dの表示コンテンツを同時に観覧することを実現することができない。
【考案の概要】
【考案が解決しようとする課題】
【０００５】
現有技術の不足を克服する為、本考案の目的は、同一スクリーンにおいて、3D及び2Dコンテンツを同時に観覧することができる調節可能シャッター式3D眼鏡の3D及び2D互換性を有する受信装置を提供することにある。
【課題を解決するための手段】
【０００６】
本考案は、以下の技術試案を採用する：調節可能シャッター式3D眼鏡の3D及び2D互換性を有する受信装置であって、それは、3D眼鏡フレーム上に設けられ、信号受信モジュール、信号処理モジュール、受信モード調整モジュール、左シャッター制御モジュール、右シャッター制御モジュール、左シャッター、右シャッター及び受信モード状態表示器を含み、そのうち、
前記受信モード調整モジュールは、3D眼鏡受信装置の受信モードに対し手動調整を行うモジュールであり、
信号受信モジュールは、外部表示装置が発する無線同期制御信号を受信し、無線同期制御信号を電気信号に変換し、電気信号を信号処理モジュールに発送し、
信号処理モジュールは、システム信号処理モジュールであり、信号受信モジュールの電気信号及び受信モード調整モジュールの受信モードを調整する命令を受信し、電気信号又は命令を処理した後、左シャッター制御モジュール、右シャッター制御モジュールに対し、3D眼鏡受信モード制御信号を出力し、
受信モード状態表示器は、信号処理モジュールが出力した3D眼鏡受信モード制御信号を受信した後の受信装置の受信モード状態を表示し、
左シャッター制御モジュールは、左シャッターモジュールを制御し、信号処理モジュールの制御信号を受信し、左シャッターの開放及び閉鎖を制御し、使用者の左眼が外部表示装置のＴ左周期又はＴ右周期で出力するグラフィック画面を受けることを制御し、
右シャッター制御モジュールは、右シャッターモジュールを制御し、信号処理モジュールの制御信号を受信し、右シャッターの開放及び閉鎖を制御し、使用者の右眼が外部表示装置のＴ左周期又はＴ右周期で出力するグラフィック画面を受けることを制御し、
左シャッターは、液晶シャッターであり、左眼の視線に対応するシャッターモジュールの開放及び閉鎖を実現し、
右シャッターは、液晶シャッターであり、右眼の視線に対応するシャッターモジュールの開放及び閉鎖を実現し、
前記信号処理モジュールの入力端は、それぞれ信号受信モジュール及び受信モード調整モジュールに接続し、信号処理モジュールの出力端は、それぞれ左シャッター制御モジュール及び右シャッター制御モジュールの入力端に接続し、左シャッター制御モジュールの出力端が左シャッターに接続し、右シャッター制御モジュール出力端が右シャッターに接続し、信号処理モジュールの出力端が更に、受信モード状態表示器と接続する。
【０００７】
本考案の前記受信モード調整モジュールは、機械式ボタンの機械受信モード調整モジュール又は電子センサ方式の電子受信モード調整モジュールである。
【０００８】
本考案の前記受信モード状態表示器は、LEDインジケータ又はLEDドットマトリクス又は表示スクリーンである。
【０００９】
本考案の前記調節可能シャッター式3D眼鏡の3D及び2D互換性を有する受信装置の実現方法は、２種の調節方式で実現され、調節方式の１つ目は、以下である：前記信号受信モジュールが外部表示装置の発送する無線同期制御信号を受信し、受信した無線同期制御信号を電気信号に変換し、信号処理モジュールに発送し、信号処理モジュールが受信した電気信号を処理して、制御信号を左、右シャッター制御モジュールに発送し、左、右シャッター制御モジュールが受信した制御信号に基づき、それぞれ左、右シャッターに対し制御を行い、使用者の左眼がＴ左周期で外部表示装置のグラフィック画面を受けること、及び右眼がＴ右周期で外部表示装置のグラフィック画面を受けることを制御する。
【００１０】
調節方式の２つ目は、以下である：受信モードを手動調整する必要がある時、前記受信モード調整モジュールが信号処理モジュールに受信モードを調整する命令を発送し、信号処理モジュールが受信モードを調整する命令を受信した後、信号処理モジュール内部で受信モードパラメータに対し、調整を行い、相応する制御信号を左、右シャッター制御モジュールに発送し、左、右シャッター制御モジュールが受信した制御信号に基づき、左、右シャッターに制御を行い、使用者の左眼がＴ左周期又はＴ右周期で外部表示装置のグラフィック画面を受信すること、及び右眼がＴ左周期又はＴ右周期で外部表示装置のグラフィック画面を受信することを制御する。
【００１１】
上記２種の調節方式の結果、信号処理モジュールが受信モード状態表示器に対し、制御信号を発送し、受信モード状態表示器から現在の受信モードに対し、リアルタイムの表示を行う。
【００１２】
本考案の前記受信モードは、以下の４種を含む:
受信モード1:3D受信モードの１つ目は、前記信号受信モジュールが外部表示装置の発送する無線同期制御信号を受信し、無線同期制御信号を電気信号に変換し、信号処理モジュールに発送し、信号処理モジュールが受信した電気信号に基づき、無線同期制御信号のＴ左周期内で左シャッター制御モジュールが左シャッターに対し、開放を行うよう制御し、使用者の左眼がＴ左周期内で外部表示装置が放映する画面コンテンツを対応して受け、この時、右シャッターが閉鎖状態を保持し、無線同期制御信号が次のＴ右周期に入る時、信号処理モジュールは、右シャッター制御モジュールが右シャッターに対し、開放を行うよう制御し、使用者の右眼がＴ右周期内で外部表示装置が放映する画面コンテンツを対応して受け、この時、左シャッターが閉鎖状態を保持する。
【００１３】
該受信モードは、現在の3D表示技術の受信モードであり、該受信モードにおいて、使用者は、無線同期制御信号のＴ左周期において、左シャッターが開放され、左眼が画面を受け、 Ｔ右周期において、右シャッターが開放され、右眼が画面を受信し、左右両眼がＴ左周期及びＴ右周期で、それぞれ異なる画面コンテンツを受け、人の脳の加工処理を経て3Dの表示効果を得ることができる。
【００１４】
受信モード2:3D受信モードの２つ目は、前記信号受信モジュールが外部表示装置の発送する無線同期制御信号を受信し、無線同期制御信号を電気信号に変換し、信号処理モジュールに発送し、信号処理モジュールが受信した電気信号に基づき、無線同期制御信号のＴ左周期内で右シャッター制御モジュールが右シャッターに対し、開放を行うよう制御し、使用者の右眼がＴ左周期内で外部表示装置が放映する画面コンテンツを対応して受け、この時、左シャッターが閉鎖状態を保持し、無線同期制御信号が次のＴ右周期に入る時、信号処理モジュールは、左シャッター制御モジュールが左シャッターに対し、開放を行うよう制御し、使用者の左眼がＴ右周期内で外部表示装置が放映する画面コンテンツを対応して受け、この時、右シャッターが閉鎖状態を保持する。
【００１５】
該モードは、依然として現在の3D表示技術の受信モードであり、該受信モードにおいて、使用者の左眼が受け取るのは、実際には、Ｔ右周期の画面コンテンツであり、使用者の右眼が受け取るのは、実際には、Ｔ左周期の画面コンテンツであり、これにより、左右両眼の受け取る画面が交換を実現する。このようにして、外部表示装置端で左右画面に対し配置交換を行って初めて表示できる画面を効率的に解決することができ、更に、一部の3Dコンテンツが左右の受け取りにエラーが出現することを解決するか、専門の受け取り要求を満足することができる。
【００１６】
受信モード3:2D受信モードの1つ目は、前記信号受信モジュールが外部表示装置の無線同期制御信号を受信し、無線同期制御信号を電気信号に変換し、信号処理モジュールに発送し、信号処理モジュールが受信した電気信号に基づき、無線同期制御信号のＴ左周期内で左、右シャッター制御モジュールがそれぞれ左、右シャッターに対し、同時に開放を行うよう制御し、使用者の左右両眼がＴ左周期内に外部表示装置が放映する画面コンテンツを同時に受け、無線同期制御信号が次のＴ右周期に入る時、信号処理モジュールは、左、右シャッター制御モジュールがそれぞれ左、右シャッターに対し、同時に閉鎖を行うよう制御し、使用者の左右両眼が何れもシャッターにより遮蔽される。
【００１７】
該受信モードは、2Dの受信モードであり、該受信モードにおいて、Ｔ左周期に対応する時間内において、左、右シャッターが何れも開放され、左右両眼が何れも同時にＴ左周期内の外部表示装置が放映するコンテンツを同時に受け、次のＴ右周期に至り、左、右シャッターが同時に閉鎖し、使用者の左右両眼が画面を受けることがない。このような設置は、受信装置において、3Dから2Dへのコンテンツの変換を効率的に実現し、受け取ることができるのは、2Dの画面コンテンツであり、同時に外部表示装置の設置を変えることがない。
【００１８】
受信モード4:2D受信モードの２つ目は、前記信号受信モジュールが外部表示装置の無線同期制御信号を受信し、無線同期制御信号を電気信号に変換し、信号処理モジュールに発送し、信号処理モジュールは、受信した電気信号に基づき、無線同期制御信号のＴ左周期内で左、右シャッター制御モジュールがそれぞれ左、右シャッターに対し、同時に閉鎖を行うよう制御し、使用者の左右の眼が何れもシャッターで遮蔽され、無線同期制御信号が次のＴ右周期に入る時、信号処理モジュールは、左、右シャッター制御モジュールが左、右シャッターに対し、同時に開放を行うよう制御し、使用者の左右両眼が同時にＴ右周期内で外部表示装置が放映する画面コンテンツを対応して受ける。
【００１９】
該受信モードが2Dの受信モードであり、該受信モードにおいて、Ｔ左周期が対応する時間内において、左、右シャッターが何れも開放され、左右両眼が何れもＴ左周期内に外部表示装置が放映するコンテンツを同時に受け、次のＴ右周期に至り、左、右シャッターが同時に閉鎖され、使用者の左右両眼が画面を受けることがない。このような設置は、受信端において、3Dから2Dへのコンテンツの変換を実現し、受けることができるのは、2Dの画面コンテンツである。同時に外部表示装置の設置を変更する必要がない。
【００２０】
本考案の受信装置において、以上の４種の受信モードを有するが、使用者が3Dコンテンツを観覧する必要がある時、受信モード1又は2を選択し、使用者が2Dコンテンツを観覧する必要がある時、受信モード3又は4を選択する。このように、同一スクリーンにおいて、使用者は、自己の要求に応じて、異なる受信モードを選択することができ、同一スクリーンで異なる使用者が同時にそれぞれ3D及び2Dコンテンツの観覧を実現することができる。
【考案の効果】
【００２１】
本考案は、調節可能シャッター式3D眼鏡の3D及び2Dの互換性を有して受信する技術試案を採用し、外部表示装置の制御を変化させる必要がなく、ただ受信装置の変更によって、3D及び2Dコンテンツの互換受信を達成することができる。同時に、使用者が受信装置の受信モードを調整することによって、同一スクリーンで異なる使用者が同時にそれぞれ3D及び2Dコンテンツの観覧を実現することができる。
【図面の簡単な説明】
【００２２】
【図１】本考案の無線同期制御信号の波形簡易図である。
【図２】本考案の調節可能シャッター式3D眼鏡の3D及び2D互換性を有する受信装置の構造説明図である。
【図３】本考案の４種の受信モードのフロー図である。
【考案を実施するための形態】
【００２３】
図２又は図３に示すように、本考案の調節可能シャッター式3D眼鏡の3D及び2D互換性を有する受信装置は、3D眼鏡フレーム上に設けられ、信号受信モジュール１、信号処理モジュール２、受信モード調整モジュール３、左シャッター制御モジュール４、右シャッター制御モジュール５、左シャッター６、右シャッター７及び受信モード状態表示器８を含み、前記信号処理モジュール２の入力端は、それぞれ信号受信モジュール１及び受信モード調整モジュール３に接続し、信号処理モジュール２の出力端は、それぞれ左シャッター制御モジュール４及び右シャッター制御モジュール５の入力端に接続し、左シャッター制御モジュール４の出力端は、左シャッター６に接続し、右シャッター制御モジュール５の出力端は、右シャッター７に接続する。信号処理モジュール２の出力端は、更に、受信モード状態表示器８に接続する。
【００２４】
本考案の前記受信モード調整モジュール３は、機械式ボタンの機械受信モード調整モジュール又は電子センサ方式の電子受信モード調整モジュールである。
【００２５】
本考案の前記受信モード状態表示器８は、LEDインジケータ又はLEDドットマトリクス又はLCD表示スクリーンである。
【００２６】
本考案の前記調節可能シャッター式3D眼鏡の3D及び2D互換性を有する受信装置の実現方法は、２種の調節方式で実現され、調節方式の１つ目は、前記信号受信モジュール１が、外部表示装置９が発送する無線同期制御信号を受信し、受信した無線同期制御信号を電気信号に変換し、信号処理モジュール２に発送し、信号処理モジュール２が受信した電気信号を制御信号に処理し、左、右シャッター制御モジュール４，５に発送し、左、右シャッター制御モジュール４，５は、受信した制御信号に基づき、それぞれ左、右シャッター６，７に対して制御を行い、使用者の左眼がＴ左周期で外部表示装置９のグラフィック画面を受け、右眼がＴ右周期で外部表示装置９のグラフィック画面を受けるよう制御する。
【００２７】
調節方式の２つ目は、受信モードを手動調整する必要がある時、前記受信モード調整モジュール３が信号処理モジュール２に受信モードを調整する命令を送り、信号処理モジュール２が受信モードを調整する命令を受信した後、信号処理モジュール２内部で受信モードパラメータに対して調整を行い、相応する制御信号を左、右シャッター制御モジュール４，５に発送し、左、右シャッター制御モジュール４，５が受信した制御信号に基づき、左、右シャッター６，７に対して制御を行い、使用者の左眼がＴ左周期又はＴ右周期で外部表示装置９のグラフィック画面を受け、右眼がＴ左周期又はＴ右周期で外部表示装置９のグラフィック画面を受けるよう制御する。
【００２８】
上記２種の調節方式の結果は、信号処理モジュール２が受信モード状態表示器８に制御信号を発し、受信モード状態表示器８が現在の受信モードに対し、リアルタイムの表示を行う。
【００２９】
図３に示すように、本考案の前記受信モードは、以下の４種を含む：
受信モード1:3D受信モードの１つ目は、前記信号受信モジュール１は、外部表示装置９が発送する無線同期制御信号を受信し、無線同期制御信号を電気信号に変換し、信号処理モジュール２に発送し、信号処理モジュール２は、受信した電気信号に基づき、無線同期制御信号のＴ左周期内で左シャッター制御モジュール４が左シャッター６に対し、開放を行うよう制御し、使用者の左眼がＴ左周期内で外部表示装置９が放映する画面コンテンツを対応して受け、この時、右シャッター７が閉鎖状態を保持し、無線同期制御信号が次のＴ右周期に入る時、信号処理モジュール２は、右シャッター制御モジュール５が右シャッター７に対し開放を行うよう制御し、使用者の右眼がＴ右周期内で外部表示装置９が放映する画面コンテンツを対応して受け、この時、左シャッター６が閉鎖状態を保持する。
【００３０】
該受信モードは、現在の3D表示技術の受信モードであり、該受信モードにおいて、使用者は、無線同期制御信号のＴ左周期において、左シャッターが開放され、左眼が画面を受け、 Ｔ右周期において、右シャッターが開放され、右眼が画面を受信し、左右両眼がＴ左周期及びＴ右周期で、それぞれ異なる画面コンテンツを受け、人の脳の加工処理を経て3Dの表示効果を得ることができる。
【００３１】
受信モード2:3D受信モードの２つ目は、前記信号受信モジュール１が外部表示装置９の発送する無線同期制御信号を受信し、無線同期制御信号を電気信号に変換し、信号処理モジュール２に発送し、信号処理モジュール２が受信した電気信号に基づき、無線同期制御信号のＴ左周期内で右シャッター制御モジュール５が右シャッター７に対し、開放を行うよう制御し、使用者の右眼がＴ左周期内で外部表示装置９が放映する画面コンテンツを対応して受け、この時、左シャッター６が閉鎖状態を保持し、無線同期制御信号が次のＴ右周期に入る時、信号処理モジュール２は、左シャッター制御モジュール４が左シャッター６に対し、開放を行うよう制御し、使用者の左眼がＴ右周期内で外部表示装置９が放映する画面コンテンツを対応して受け、この時、右シャッター７が閉鎖状態を保持する。
【００３２】
該モードは、依然として現在の3D表示技術の受信モードであり、該受信モードにおいて、使用者の左眼が受け取るのは、実際には、Ｔ右周期の画面コンテンツであり、使用者の右眼が受け取るのは、実際には、Ｔ左周期の画面コンテンツであり、これにより、左右両眼の受け取る画面が交換を実現する。このようにして、外部表示装置９端で左右画面に対し配置交換を行って初めて表示できる画面を効率的に解決することができ、更に、一部の3Dコンテンツが左右の受け取りにエラーが出現することを解決するか、専門の受け取り要求を満足することができる。
【００３３】
受信モード3:2D受信モードの1つ目は、前記信号受信モジュール２が外部表示装置９の無線同期制御信号を受信し、無線同期制御信号を電気信号に変換し、信号処理モジュール２に発送し、信号処理モジュール２が受信した電気信号に基づき、無線同期制御信号のＴ左周期内で左、右シャッター制御モジュール４，５がそれぞれ左、右シャッター６，７に対し、同時に開放を行うよう制御し、使用者の左右両眼がＴ左周期内に外部表示装置９が放映する画面コンテンツを同時に受け、無線同期制御信号が次のＴ右周期に入る時、信号処理モジュール２は、左、右シャッター制御モジュール４，５がそれぞれ左、右シャッター６，７に対し、同時に閉鎖を行うよう制御し、使用者の左右両眼が何れもシャッターにより遮蔽される。
【００３４】
該受信モードは、2Dの受信モードであり、該受信モードにおいて、Ｔ左周期に対応する時間内において、左、右シャッターが何れも開放され、左右両眼が何れも同時にＴ左周期内の外部表示装置９が放映するコンテンツを同時に受け、次のＴ右周期に至り、左、右シャッターが同時に閉鎖し、使用者の左右両眼が画面を受けることがない。このような設置は、受信装置において、3Dから2Dへのコンテンツの変換を効率的に実現し、受け取ることができるのは、2Dの画面コンテンツであり、同時に外部表示装置９の設置を変えることがない。
【００３５】
受信モード4:2D受信モードの２つ目は、前記信号受信モジュール１が外部表示装置９の無線同期制御信号を受信し、無線同期制御信号を電気信号に変換し、信号処理モジュール２に発送し、信号処理モジュール２は、受信した電気信号に基づき、無線同期制御信号のＴ左周期内で左、右シャッター制御モジュール４，５がそれぞれ左、右シャッター６，７に対し、同時に閉鎖を行うよう制御し、使用者の左右の眼が何れもシャッターで遮蔽され、無線同期制御信号が次のＴ右周期に入る時、信号処理モジュール２は、左、右シャッター制御モジュール４，５が左、右シャッター６，７に対し、同時に開放を行うよう制御し、使用者の左右両眼が同時にＴ右周期内で外部表示装置９が放映する画面コンテンツを対応して受ける。
【００３６】
該受信モードが2Dの受信モードであり、該受信モードにおいて、Ｔ左周期が対応する時間内において、左、右シャッター６，７が何れも開放され、左右両眼が何れもＴ左周期内に外部表示装置９が放映するコンテンツを同時に受け、次のＴ右周期に至り、左、右シャッター６，７が同時に閉鎖され、使用者の左右両眼が画面を受けることがない。このような設置は、受信端において、3Dから2Dへのコンテンツの変換を実現し、受けることができるのは、2Dの画面コンテンツである。同時に外部表示装置９の設置を変更する必要がない。
【００３７】
本考案の受信装置において、以上の４種の受信モードを有するが、使用者が3Dコンテンツを観覧する必要がある時、受信モード1又は2を選択し、使用者が2Dコンテンツを観覧する必要がある時、受信モード3又は4を選択する。このように、同一スクリーンにおいて、使用者は、自己の要求に応じて、異なる受信モードを選択することができ、同一スクリーンで異なる使用者が同時にそれぞれ3D及び2Dコンテンツの観覧を実現することができる。
【符号の説明】
【００３８】
１  信号受信モジュール
２  信号処理モジュール
３  受信モード調整モジュール
４  左シャッター制御モジュール
５  右シャッター制御モジュール
６  左シャッター
７  右シャッター
８  受信モード状態表示器
９  外部表示装置
【図１】
0003179528.tif 000003
【図２】
0003179528.tif 000004
【図３】
0003179528.tif 000005